(57)【要約】      （修正有）【課題】複数の記録再生装置が接続されている場合において、他の記録再生装置から録画予約情報とＥＰＧデータを取得することにより、全体の録画予約情報を１台の記録再生装置の電子番組表を見るだけでユーザが容易に把握でき、かつシステムリソースの効率的な利用を図ることができる記録再生装置および記録再生方法を提供する。【解決手段】記録再生装置２０ｉは、ＣＰＵ２１ｉ、ＲＡＭ２２ｉ、ＲＯＭ２３ｉ、ネットワーク接続手段２４ｉ、他機識別情報記憶手段２５ｉ、録画予約情報記憶手段２６ｉ、ＥＰＧデータ記憶手段２７ｉ、録画ファイル記憶手段２８ｉおよびインターフェイス手段３０ｉを有するものである。ＣＰＵ２１ｉは、ＲＯＭ２３ｉに記憶された録画予約情報共有プログラムによって、少なくとも他機接続判定手段、予約情報送信手段、ＥＰＧデータ送信手段、予約情報受信手段、ＥＰＧデータ受信手段およびＥＰＧ画面作成手段として機能する。【選択図】  図２
2007208927.tif 000002
【特許請求の範囲】
【請求項１】
複数の記録再生装置がネットワーク接続され、前記複数の記録再生装置のうちの任意の記録再生装置は、
ネットワーク接続された他の複数の記録再生装置に対し、録画予約に関する情報を送信する予約情報送信手段と、
前記他の複数の記録再生装置からこの他の複数の記録再生装置の録画予約に関する情報を受信する予約情報受信手段と、
テレビ放送信号から分離されたまたはインターネット配信されたＥＰＧデータを格納するＥＰＧデータ記憶手段と、
このＥＰＧデータと、前記録画予約に関する情報と、前記他の複数の記録再生装置の録画予約に関する情報とにもとづいて、前記録画予約に関する情報および前記他の複数の記録再生装置固有の識別情報と関連付けた前記他の複数の記録再生装置の録画予約に関する情報を付加したＥＰＧ画面を作成するＥＰＧ画面作成手段と、
を備えたことを特徴とする記録再生装置。
【請求項２】
前記他の複数の記録再生装置の録画予約に関する情報に含まれているチャンネル名が前記ＥＰＧデータ記憶手段に格納されたＥＰＧデータに存在しない場合、この録画予約に関する情報を送信してきた記録再生装置から前記ＥＰＧデータに存在しないチャンネルの録画予約番組のＥＰＧデータを受信し、このＥＰＧデータを前記識別情報と関連付けて前記ＥＰＧデータ記憶手段に追加するＥＰＧデータ受信手段をさらに有する請求項１記載の記録再生装置。
【請求項３】
前記他の複数の記録再生装置からの要求に応じて、前記録画予約に関する情報に含まれる録画予約番組のＥＰＧデータを送信するＥＰＧデータ送信手段をさらに有する請求項１記載の記録再生装置。
【請求項４】
前記ＥＰＧ画面作成手段は、前記ＥＰＧデータ記憶手段に追加されたＥＰＧデータにもとづき、前記ＥＰＧデータに存在しないチャンネルを表示する欄を前記ＥＰＧ画面上に作成し、この欄内に前記識別情報と関連付けて前記他の複数の記録再生装置の録画予約に関する情報を表示する機能をさらに備えるよう構成した請求項２記載の記録再生装置。
【請求項５】
ネットワーク接続された他の複数の記録再生装置に対し、録画予約に関する情報を送信するステップと、
前記他の複数の記録再生装置からこの他の複数の記録再生装置の録画予約に関する情報を受信するステップと、
テレビ放送信号から分離されたまたはインターネット配信されたＥＰＧデータと、前記録画予約に関する情報と、前記他の複数の記録再生装置から受信した他の複数の記録再生装置の録画予約に関する情報とにもとづいて、前記録画予約に関する情報および前記他の複数の記録再生装置固有の識別情報と関連付けた前記他の複数の記録再生装置の録画予約に関する情報を付加したＥＰＧ画面を作成するステップと、
を有することを特徴とする記録再生方法。
【請求項６】
前記他の複数の記録再生装置の録画予約に関する情報に含まれているチャンネル名が前記ＥＰＧデータに存在するか判定するステップと、
前記チャンネル名が前記ＥＰＧデータに存在しない場合、前記チャンネルの録画予約番組のＥＰＧデータを送信するよう、この録画予約に関する情報を送信してきた記録再生装置に対して要求するステップと、
この録画予約に関する情報を送信してきた記録再生装置から前記ＥＰＧデータに存在しないチャンネルの録画予約番組のＥＰＧデータを受信するステップと、
をさらに有する請求項５記載の記録再生方法。
【請求項７】
前記他の複数の記録再生装置からのＥＰＧデータ送信要求の有無を判定するステップと、
前記他の複数の記録再生装置からの要求に応じて、前記録画予約に関する録画予約番組のＥＰＧデータを送信するステップと、
をさらに有する請求項５記載の記録再生方法。
【請求項８】
前記ネットワーク接続された全ての記録再生装置の録画予約に関する情報を付加したＥＰＧ画面に対し、受信した前記ＥＰＧデータに存在しないチャンネルの録画予約番組のＥＰＧデータにもとづき、前記ＥＰＧデータに存在しないチャンネルを表示する欄を作成するステップと、
この欄内に前記識別情報と関連付けて前記他の複数の記録再生装置の録画予約に関する情報を表示するステップと、
をさらに有する請求項６記載の記録再生方法。
【請求項９】
ネットワーク上に設置された広告情報を格納する広告サーバデータベースから広告情報を受信する広告情報受信手段と、
テレビ放送信号から分離されたまたはインターネット配信されたＥＰＧデータを格納するＥＰＧデータ記憶手段と、
このＥＰＧデータと、前記広告情報とにもとづき、この広告情報に含まれる広告を表示する欄を設けてこの欄に広告を表示するようにＥＰＧ画面を作成するＥＰＧ画面作成手段と、
を備えたことを特徴とする記録再生装置。
【請求項１０】
前記広告情報は、広告に関連する番組の情報を含み、
前記広告を表示する欄の設置位置は、前記広告に関連する番組の近傍である請求項９記載の記録再生装置。
【請求項１１】
前記広告情報は、広告情報作成者の指定するインターネットサイトのｕｒｌを含み、
前記ＥＰＧ画面上の広告をユーザが選択した場合、前記ｕｒｌにもとづき前記広告情報作成者の指定するインターネットサイトに接続する広告アクセス手段をさらに備えた請求項９記載の記録再生装置。
【請求項１２】
ネットワーク上に設置された広告情報を格納する広告サーバデータベースから広告情報を受信するステップと、
テレビ放送信号から分離されたまたはインターネット配信されたＥＰＧデータと、前記広告情報とにもとづき、この広告情報に含まれる広告を表示する欄を設けるステップと、
この欄に広告を表示するようにＥＰＧ画面を作成するステップと、
を有することを特徴とする記録再生方法。
【請求項１３】
前記広告情報は、広告情報作成者の指定するインターネットサイトのｕｒｌを含み、
前記広告を表示したＥＰＧ画面上の広告に対するユーザの選択の有無を判定するステップと、
ユーザの選択があった場合は、前記ｕｒｌにもとづき前記広告情報作成者の指定するインターネットサイトに接続するステップと、
をさらに有する請求項１２記載の記録再生方法。
【発明の詳細な説明】
【技術分野】
【０００１】
本発明は、電子番組表を利用する記録再生装置および記録再生方法に関する。
【背景技術】
【０００２】
最近、ＥＰＧ（Electronic Program Guide）と呼ばれるテレビ番組表を電子化したもの（電子番組表）が実用化されている。ＥＰＧ（電子番組表）は、番組開始日時および終了日時、番組名、番組内容、ジャンル名、出演者などの、番組に関する情報を内容とし、地上波データ放送やインターネットにより配信されている。
【０００３】
ＨＤＤ／ＤＶＤレコーダや、テレビチューナを備えたパソコンなどの、映像や音声からなるデータを記録、再生する記録再生装置のうち、ＥＰＧを利用する機能を有するものは、地上波データ放送やインターネットにより配信されているＥＰＧデータを受信し、この記録再生装置に接続されたＣＲＴなどの画面にＥＰＧを表示することができる。
【０００４】
この種の記録再生装置において番組の録画予約を行う際には、記録再生装置の表示するＥＰＧ画面上で録画予約の設定を行うことができるため、容易に録画予約の設定を行うことができる。また、録画予約設定を行った場合、記録再生装置のＥＰＧデータには、どのチャンネルのどの番組が予約されているのかが識別可能なように、録画予約がされている番組に対して、色分けや記号の付加などを施すことができる。このため、ユーザは、記録再生装置の表示するＥＰＧ画面を見るだけで、容易に録画予約情報を確認することができる。
【０００５】
しかし、ユーザが複数の記録再生装置を所有している場合、記録再生装置ごとに各記録再生装置の表示するＥＰＧ画面上で録画予約設定を行うことになる。このため、どの番組がどの記録再生装置に記録（録画）されるのか、わかりづらくなるおそれがある。どの番組がどの記録再生装置に記録されるのかを把握するためには、各記録再生装置のＥＰＧをそれぞれ確認するという煩雑な手間が必要となってしまう。
【０００６】
たとえば、１台の記録再生装置のＥＰＧデータに、ユーザの所有する他の全ての記録再生装置の録画予約情報を集約することができれば、ユーザの利便性を向上させることができると期待できる。
【０００７】
従来、この種の、複数の記録再生装置が接続された場合において１台の記録再生装置のＥＰＧに他の全ての記録再生装置の録画予約情報を集約する技術に、特開２００３−９２７１１号公報（特許文献１）に記載されたものがある。
【０００８】
特開２００３−９２７１１号公報（特許文献１）に開示された電子番組情報画面生成装置は、一つ又は複数のチューナデバイスと一つ又は複数の記録デバイスにネットワーク接続された状態において、全てのチューナデバイスからＥＰＧデータを取り出す電子番組案内情報検索手段と、チューナデバイス又は記録デバイスの予約情報を検索する予約情報検索手段を有し、ＥＰＧ画面において予約された番組がどの記録デバイスに記録されるのかを一覧することができるようになっている。
【特許文献１】特開２００３−９２７１１号広報
【発明の開示】
【発明が解決しようとする課題】
【０００９】
従来の、複数の記録再生装置が接続された場合において１台の記録再生装置のＥＰＧに他の全ての記録再生装置の録画予約情報を集約する技術では、他の全てのチューナデバイスからＥＰＧデータを取得して、この全てのＥＰＧデータを一つの機器に統合して表示する。しかし、この技術では、録画予約情報のみならず、全てのチューナデバイスのＥＰＧデータを取得することになるため、ＥＰＧ表示が膨大なものとなる。このため、ユーザの使い勝手の面でも、システムリソースの面でも効率的ではない。
【００１０】
録画予約情報と、この録画予約情報を表示するために必要なＥＰＧデータのみとを取得することができれば、他の記録再生装置の録画予約情報を把握するには十分であり、ＥＰＧ表示はより簡単なものになり、視認性もよく、システムリソースの効率的な活用を図ることもできる。
【００１１】
本発明は、上述した事情を考慮してなされたもので、複数の記録再生装置が接続されている場合において、他の記録再生装置から録画予約情報およびこの録画予約情報を表示するために必要なＥＰＧデータを取得することにより、複数の記録再生装置の録画予約情報を１台の記録再生装置の電子番組表を見るだけでユーザが容易に把握でき、かつシステムリソースの効率的な利用を図ることができる記録再生装置および記録再生方法を提供することを目的とする。
【課題を解決するための手段】
【００１２】
本発明に係る記録再生装置は、上述した課題を解決するために、請求項１に記載したように、複数の記録再生装置がネットワーク接続され、前記複数の記録再生装置のうちの任意の記録再生装置は、ネットワーク接続された他の複数の記録再生装置に対し、録画予約に関する情報を送信する予約情報送信手段と、前記他の複数の記録再生装置からこの他の複数の記録再生装置の録画予約に関する情報を受信する予約情報受信手段と、テレビ放送信号から分離されたまたはインターネット配信されたＥＰＧデータを格納するＥＰＧデータ記憶手段と、このＥＰＧデータと、前記録画予約に関する情報と、前記他の複数の記録再生装置の録画予約に関する情報とにもとづいて、前記録画予約に関する情報および前記他の複数の記録再生装置固有の識別情報と関連付けた前記他の複数の記録再生装置の録画予約に関する情報を付加したＥＰＧ画面を作成するＥＰＧ画面作成手段とを備えたことを特徴とするものである。
【００１３】
また、本発明に係る記録再生方法は、上述した課題を解決するために、請求項５に記載したように、ネットワーク接続された他の複数の記録再生装置に対し、録画予約に関する情報を送信するステップと、前記他の複数の記録再生装置からこの他の複数の記録再生装置の録画予約に関する情報を受信するステップと、テレビ放送信号から分離されたまたはインターネット配信されたＥＰＧデータと、前記録画予約に関する情報と、前記他の複数の記録再生装置から受信した他の複数の記録再生装置の録画予約に関する情報とにもとづいて、前記録画予約に関する情報および前記他の複数の記録再生装置固有の識別情報と関連付けた前記他の複数の記録再生装置の録画予約に関する情報を付加したＥＰＧ画面を作成するステップとを有することを特徴とする方法である。
【００１４】
また、本発明に係る記録再生装置は、上述した課題を解決するために、請求項９に記載したように、ネットワーク上に設置された広告情報を格納する広告サーバデータベースから広告情報を受信する広告情報受信手段と、テレビ放送信号から分離されたまたはインターネット配信されたＥＰＧデータを格納するＥＰＧデータ記憶手段と、このＥＰＧデータと、前記広告情報とにもとづき、この広告情報に含まれる広告を表示する欄を設けてこの欄に広告を表示するようにＥＰＧ画面を作成するＥＰＧ画面作成手段とを備えたことを特徴とするものである。
【００１５】
また、本発明に係る記録再生装置は、上述した課題を解決するために、請求項１２に記載したように、ネットワーク上に設置された広告情報を格納する広告サーバデータベースから広告情報を受信するステップと、テレビ放送信号から分離されたまたはインターネット配信されたＥＰＧデータと、前記広告情報とにもとづき、この広告情報に含まれる広告を表示する欄を設けるステップと、この欄に広告を表示するようにＥＰＧ画面を作成するステップとを有することを特徴とする方法である。
【発明の効果】
【００１６】
本発明に係る記録再生装置および記録再生方法によれば、複数の記録再生装置が接続されている場合において、他の記録再生装置から録画予約情報およびこの録画予約情報を表示するために必要なＥＰＧデータを取得することにより、複数の記録再生装置の録画予約情報を１台の記録再生装置の電子番組表を見るだけでユーザが容易に把握でき、かつシステムリソースの効率的な利用を図ることができる。
【発明を実施するための最良の形態】
【００１７】
本発明に係る記録再生装置および記録再生方法の実施の形態について、添付図面を参照して説明する。
【００１８】
図１は、本発明に係る記録再生装置の第１実施形態を示す概略的な全体構成図である。
【００１９】
記録再生システム１０は、集線装置１１と、集線装置１１を介して互いに電気的に接続されたｎ台の記録再生装置２０１、２０２、・・・、２０ｎによって構成される。
【００２０】
記録再生装置２０１、２０２、・・・、２０ｎは、ネットワーク接続される。このネットワーク接続は、１台の記録再生装置が他の全ての記録再生装置とデータ送受信可能に構成されていればよい。したがって、記録再生装置どうしは、たとえば、図１に示したように集線装置１１を介して接続してもよいし、集線装置１１を介さずに直接ケーブルで互いに接続（デイジーチェーン接続など）してもよいし、無線によりデータ送受信可能に構成してもよい。
【００２１】
次に、記録再生装置２０１、２０２、・・・、２０ｎの構成の一例について、図２を参照して説明する。
【００２２】
図２は、記録再生装置２０１、２０２、・・・、２０ｎのうちの１台の記録再生装置２０ｉ（ｉはｎ以下の任意の自然数を表す）の構成例を示す概略的なブロック図である。
【００２３】
記録再生装置２０ｉは、ＣＰＵ２１ｉ、ＲＡＭ２２ｉ、ＲＯＭ２３ｉ、ネットワーク接続手段２４ｉ、他機識別情報記憶手段２５ｉ、録画予約情報記憶手段２６ｉ、ＥＰＧデータ記憶手段２７ｉ、録画ファイル記憶手段２８ｉおよびインターフェイス手段３０ｉを有する。この記録再生装置２０ｉを除く他の複数の記録再生装置２０１、２０２、・・・、２０ｎも、記録再生装置２０ｉと同じ構成を有する。記録再生装置２０ｉは、たとえばＨＤＤ／ＤＶＤレコーダや、テレビチューナを備えたパソコンなどの、映像や音声からなるデータを記録、再生する記録再生装置により構成することができる。
【００２４】
ＣＰＵ２１ｉは、ＲＯＭ２３ｉ内に記憶されたプログラムに従って、記録再生装置２０ｉの処理動作を制御する。ＣＰＵ２１ｉは、ＲＯＭ２３ｉ内に記憶された録画予約情報共有プログラムおよびプログラムの実行のために必要なデータをＲＡＭ２２ｉへロードし、録画予約情報共有プログラムに従って、ネットワーク接続されている他の記録再生装置２０１、２０２、・・・、２０ｎ（２０ｉを除く）（以下、他機という）から録画予約情報およびこの録画予約情報を表示するために必要なＥＰＧデータを取得し、全ての記録再生装置２０１、２０２、・・・、２０ｎの録画予約情報を１台の記録再生装置の出力するＥＰＧ画面に集約する処理を実行する。
【００２５】
ＲＡＭ２２ｉは、ＣＰＵ２１ｉが実行するプログラムおよびデータを一時的に格納するワークエリアを提供する。
【００２６】
ＲＯＭ２３ｉは、記録再生装置２０ｉの起動プログラム、録画予約情報共有プログラムや、これらのプログラムを実行するために必要な各種データを記憶する。
【００２７】
なお、ＲＯＭ２３ｉは、磁気的もしくは光学的記憶媒体または半導体メモリなどの、ＣＰＵ２１ｉにより読み取り可能な記憶媒体を含んだ構成を有し、ＲＯＭ２３ｉ内のプログラムおよびデータの一部または全部はネットワークを介してダウンロードされるように構成してもよい。
【００２８】
ネットワーク接続手段２４ｉは、ネットワークの形態に応じた種々の情報通信用プロトコルを実装する。ネットワーク接続手段２４ｉは、この各種プロトコルにしたがって記録再生装置２０ｉと他機とを接続し、記録再生装置２０ｉとＥＰＧサーバデータベース４０とを接続する。
【００２９】
一般に、記録再生装置どうしが接続された場合、各記録再生装置が所有する各記録再生装置固有の識別情報の送受信を行うことによって、互いに接続を認識する。
【００３０】
他機識別情報記憶手段２５ｉは、他機が記録再生装置２０ｉに接続された場合、ネットワーク接続手段２４ｉを介して他機から受けた他機の識別情報を格納する。また、ユーザが他機に対して名前を付けた場合、他機の識別情報に対してこのユーザにより付された名前（以下、他機簡易名という）を関連付けて格納する。本実施形態においては、他機識別情報記憶手段２５ｉには、記録再生装置２０１、２０２、・・・、２０ｎ（２０ｉを除く）の識別情報が少なくとも格納されている。
【００３１】
録画予約情報記憶手段２６ｉは、番組の録画予約に関する情報（少なくとも録画開始日時、録画時間（または録画終了日時）および録画チャンネル名を含むほか、番組名、画質などの情報を含む）を格納する。
【００３２】
また、録画予約情報記憶手段２６ｉは、ネットワーク接続手段２４ｉを介して他機から受けた他機の番組録画予約に関する情報（少なくとも録画開始日時、録画時間（または録画終了日時）および録画チャンネル名を含むほか、番組名、画質などの情報を含む）を、他機識別情報記憶手段２５ｉに格納されている他機識別情報および／または他機簡易名がある場合は他機簡易名（以下、他機ＩＤという）と関連付けて格納する。
【００３３】
図３は、記録再生装置２０ｉの表示するＥＰＧ画面５０ｉの構成例を示す図である。
【００３４】
ＥＰＧデータは、一般に、放送される番組の放送開始日時および終了日時、番組名、番組内容、ジャンル名および出演者名などの情報を内容とする。記録再生装置２０ｉは、このＥＰＧデータにもとづき、インターフェイス手段３０ｉを介して表示装置３２ｉにＥＰＧ（電子番組表）を表示する。記録再生装置２０ｉの表示するＥＰＧ画面５０ｉは、図３に示すように、放送される番組の情報をチャンネルごとに時間順に並んだテレビ番組表として、表示装置３２ｉ上に実現される。
【００３５】
ＥＰＧデータ記憶手段２７ｉは、放送局がテレビ放送信号にＥＰＧデータを多重して送信している場合、インターフェイス手段３０ｉを介してチューナ３１ｉの受信したＥＰＧデータを格納する。また、ＥＰＧデータがインターネット配信されている場合は、ネットワーク接続手段２４ｉを介してＥＰＧサーバデータベース４０から取得したＥＰＧデータを格納する。また、ＥＰＧデータ記憶手段２７ｉは、記録再生装置２０ｉのＥＰＧデータの不足を補うために他機から受けた他機の録画予約情報を表示するために必要なＥＰＧデータ（以下、追加ＥＰＧデータという）を、他機識別情報記憶手段２５ｉに格納されている他機ＩＤと関連付けて格納する。
【００３６】
追加ＥＰＧデータは、録画予約情報に含まれる録画チャンネル名がＥＰＧデータ記憶手段２７ｉのＥＰＧデータにない場合に必要となる。追加ＥＰＧデータは、録画予約を表示するために用いられるため、録画予約情報に含まれる録画予約番組のＥＰＧデータのみで十分であり、録画予約番組以外の番組に関するＥＰＧデータは追加ＥＰＧデータには含まれないものとする。
【００３７】
録画ファイル記憶手段２８ｉは、インターフェイス手段３０ｉを介して入力されるチューナ３１ｉの受信した放送された番組の映像データなどを、必要に応じて録画ファイルとして格納する。
【００３８】
インターフェイス手段３０ｉは、放送される番組の映像データおよびＥＰＧデータなどを受信し記録再生装置２０ｉに与えるチューナ３１ｉと、チューナ３１ｉの受信した映像データおよびＥＰＧデータや記録再生装置２０ｉから出力される映像データおよびＥＰＧデータを表示するＣＲＴやＬＣＤなどの表示装置３２ｉと、ユーザの意思を記録再生装置２０ｉに伝える機能を有するリモコンなどの入力装置３３ｉと接続される。
【００３９】
ＥＰＧサーバデータベース４０は、ＥＰＧサーバがインターネット配信するＥＰＧデータを保存している。
【００４０】
図４は、ＣＰＵ２１ｉの構成例を示す概略的なブロック図である。
【００４１】
ＣＰＵ２１ｉは、ＲＯＭ２３ｉに記憶された録画予約情報共有プログラムによって、少なくとも他機接続判定手段２１ｉａ、予約情報送信手段２１ｉｂ、ＥＰＧデータ送信手段２１ｉｃ、予約情報受信手段２１ｉｄ、ＥＰＧデータ受信手段２１ｉｅおよびＥＰＧ画面作成手段２１ｉｆとして機能する。この各手段は、ＲＡＭ１２の所要のワークエリアを、データの一時的な格納場所として利用する。
【００４２】
他機接続判定手段２１ｉａは、他機識別情報記憶手段２５ｉを検索し、記録再生装置２０ｉに対して接続されている記録再生装置(他機)の有無を判定する機能を有する。
【００４３】
予約情報送信手段２１ｉｂは、録画予約情報記憶手段２６ｉを検索し、記録再生装置２０ｉの録画予約情報の有無を判定する機能を有する。
【００４４】
また、予約情報送信手段２１ｉｂは、記録再生装置２０ｉの録画予約情報がある場合、この記録再生装置２０ｉの録画予約情報を、他機識別情報記憶手段２５ｉに識別情報が格納されている記録再生装置（他機）に対して送信する機能を有する。
【００４５】
ＥＰＧデータ送信手段２１ｉｃは、他機のＥＰＧデータ受信手段からの要求に応じて、記録再生装置２０ｉの録画予約情報に関する追加ＥＰＧデータを他機に対して送信する機能を有する。
【００４６】
予約情報受信手段２１ｉｄは、他機の予約情報送信手段からの録画予約情報送信の有無を判定する機能を有する。
【００４７】
また、予約情報受信手段２１ｉｄは、他機から録画予約情報の送信がある場合には、この他機の録画予約情報をネットワーク接続手段２４ｉを介して受信し、他機識別情報記憶手段２５ｉに格納されている他機ＩＤと関連付けて録画予約情報記憶手段２６ｉに格納する機能を有する。
【００４８】
ＥＰＧデータ受信手段２１ｉｅは、ＥＰＧデータ記憶手段２７ｉに格納された記録再生装置２０ｉのＥＰＧデータに存在しないチャンネル名が予約情報受信手段２１ｉｄの受信した録画予約情報に含まれている場合、つまり、受信した録画予約情報を表示するために必要なＥＰＧデータが記録再生装置２０ｉに存在しない場合には、この必要なＥＰＧデータ（追加ＥＰＧデータ）を送信するよう、この録画予約情報を送信してきた記録再生装置のＥＰＧデータ送信手段に対して要求し、この記録再生装置の予約情報送信手段からネットワーク接続手段２４ｉを介してこの追加ＥＰＧデータを受信し、他機識別情報記憶手段２５ｉに格納されている他機ＩＤと関連付けてＥＰＧデータ記憶手段２７ｉに格納する機能を有する。
【００４９】
たとえば、記録再生装置２０ｊ（ｊはｉと異なるｎ以下の任意の自然数を表す）に録画予約情報がある場合は、予約情報受信手段２１ｉｃは、記録再生装置２０ｊの予約情報送信手段２１ｊｂから、記録再生装置２０ｊの録画予約情報を受信する。記録再生装置２０ｉのＥＰＧデータに存在しないチャンネル名がこの記録再生装置２０ｊの録画予約情報に含まれている場合には、ＥＰＧデータ受信手段２１ｉｅは、ＥＰＧデータ送信手段２１ｊｃに対してこの録画予約情報に関する追加ＥＰＧデータを要求し、この追加ＥＰＧデータをＥＰＧデータ送信手段２１ｊｃから受信する。
【００５０】
ＥＰＧ画面作成手段２１ｉｆは、ＥＰＧデータ記憶手段２７ｉに格納されている記録再生装置２０ｉのＥＰＧデータにもとづいて、図３に示すようなＥＰＧ画面５０ｉを作成し、表示装置３２ｉを介してユーザに提示する機能を有する。
【００５１】
また、ＥＰＧ画面作成手段２１ｉｆは、録画予約情報記憶手段２６ｉに録画予約情報がある場合には、この録画予約情報をＥＰＧ画面５０ｉ上に付加する機能を有する。また、ＥＰＧ画面作成手段２１ｉｆは、他機の録画予約情報がある場合には、他機ＩＤを関連付けた他機録画予約情報をＥＰＧ画面５０ｉ上に付加する機能を有する。また、ＥＰＧ画面作成手段２１ｉｆは、この他機録画予約情報を表示するために必要なＥＰＧデータが記録再生装置２０ｉのＥＰＧデータに存在しない場合には、ＥＰＧデータ記憶手段２７ｉに格納されている追加ＥＰＧデータを他機ＩＤと関連付けてＥＰＧ画面５０ｉ上に追加し、他機録画予約情報をＥＰＧ画面５０ｉ上に付加する機能を有する。
【００５２】
次に、本発明に係る記録再生装置２０ｉの作用について説明する。
【００５３】
図５は、３台の記録再生装置２０１、２０２および２０３がネットワーク接続されている場合において、ネットワーク接続されている他機から録画予約情報およびこの録画予約情報を表示するために必要なＥＰＧデータを取得し、全ての記録再生装置（記録再生装置２０１、２０２および２０３）の録画予約情報を１台の記録再生装置の出力するＥＰＧ画面に集約する際の手順を示すフローチャートである。
【００５４】
図５には、３台の記録再生装置のうち、例として、記録再生装置２０１について、録画予約情報を集約する際の手順を示す。記録再生装置２０２および２０３は、記録再生装置２０１と同様の構成および作用については説明を省略する。図５において、Ｓに数字を付した符号は、フローチャートの各ステップを示す。
【００５５】
この手順は、記録再生装置２０１がＥＰＧデータを取得し、この記録再生装置２０１のＥＰＧデータをＥＰＧデータ記憶手段２７１に格納した時点でスタートとなる。
【００５６】
あらかじめ、他機識別情報記憶手段２５１には、記録再生装置２０２および２０３の他機ＩＤ（ここで、他機とは記録再生装置２０２および２０３を指す）が格納されている。
【００５７】
まず、ステップＳ１において、他機接続判定手段２１１ａは、他機識別情報記憶手段２５１を検索し、記録再生装置２０１に対して接続されている記録再生装置の有無を判定する。接続されている記録再生装置がある場合はステップＳ２に進む。一方、１台も接続されていない場合は、引き続き接続されている記録再生装置の有無を判定する。
【００５８】
次に、ステップＳ２において、予約情報送信手段２１１ｂは、録画予約情報記憶手段２６１を検索し、記録再生装置２０１の録画予約情報の有無を判定する。記録再生装置２０１の録画予約情報がある場合はステップＳ３に進む。一方、記録再生装置２０１の録画予約情報がない場合はステップＳ６進む。
【００５９】
次に、ステップＳ３において、予約情報送信手段２１１ｂは、記録再生装置２０１の録画予約情報を、記録再生装置２０２の予約情報受信手段２１２ｄおよび記録再生装置２０３の予約情報受信手段２１３ｄに対して送信する。
【００６０】
次に、ステップＳ４において、ＥＰＧデータ送信手段２１１ｃは、記録再生装置２０２のＥＰＧデータ受信手段２１２ｅまたは記録再生装置２０３のＥＰＧデータ受信手段２１３ｅから、記録再生装置２０１の録画予約情報に関する追加ＥＰＧデータが要求されているかどうか判定する。要求されている場合はステップＳ５に進む。要求がない場合はステップＳ６に進む。
【００６１】
次に、ステップＳ５において、ＥＰＧデータ送信手段２１１ｃは、記録再生装置２０１の録画予約情報に関する追加ＥＰＧデータを要求している記録再生装置２０２のＥＰＧデータ受信手段２１２ｅまたは記録再生装置２０３のＥＰＧデータ受信手段２１３ｅに対して、この追加ＥＰＧデータを送信する。
【００６２】
次に、ステップＳ６において、予約情報受信手段２１１ｄは、記録再生装置２０２の予約情報送信手段２１２ｂまたは記録再生装置２０３の予約情報送信手段２１３ｂから録画予約情報が送信されているかどうか判定する。録画予約情報が送信されている場合はステップＳ７に進む。送信されていない場合はステップＳ１１に進む。
【００６３】
次に、ステップＳ７において、予約情報受信手段２１１ｄは、記録再生装置２０２の予約情報送信手段２１２ｂまたは記録再生装置２０３の予約情報送信手段２１３ｂから録画予約情報を受信し、この録画予約情報を送信した記録再生装置の他機ＩＤと関連付けて、録画予約情報記憶手段２６１に格納する。
【００６４】
次に、ステップＳ８において、ＥＰＧデータ受信手段２１１ｅは、録画予約情報記憶手段２６１に格納されている録画予約情報の録画チャンネル名を検索し、この録画チャンネル名とＥＰＧデータ記憶手段２７１に格納されている記録再生装置２０１のＥＰＧデータのチャンネル名とを比較して、記録再生装置２０１のＥＰＧデータに存在しないチャンネル名が予約情報受信手段２１１ｄの受信した録画予約情報に含まれているかどうかを判定する。記録再生装置２０１のＥＰＧデータに存在しないチャンネル名が予約情報受信手段２１１ｄの受信した他機の録画予約情報に含まれている場合はステップＳ９へ進む。含まれていない場合はステップＳ１１に進む。
【００６５】
次に、ステップＳ９において、ＥＰＧ受信手段２１１ｅは、記録再生装置２０２または２０３から受信した録画予約情報に関する追加ＥＰＧデータを、記録再生装置２０２のＥＰＧデータ送信手段２１２ｃまたは記録再生装置２０３のＥＰＧデータ送信手段２１３ｃに対して要求する。
【００６６】
次に、ステップＳ１０において、ＥＰＧ受信手段２１１ｅは、記録再生装置２０２のＥＰＧデータ送信手段２１２ｃまたは記録再生装置２０３のＥＰＧデータ送信手段２１３ｃから追加ＥＰＧデータを受信し、この追加ＥＰＧデータを送信した記録再生装置の他機ＩＤと関連付けてＥＰＧデータ記憶手段２７１に格納する。
【００６７】
次に、ステップＳ１１において、ＥＰＧ画面作成手段２１１ｆは、ＥＰＧデータ記憶手段２７１に格納されている記録再生装置２０１のＥＰＧデータと、記録再生装置２０２および２０３から受信した追加ＥＰＧデータと、録画予約情報記憶手段２６ｉに格納されている記録再生装置２０１、２０２および２０３の録画予約情報とにもとづいてＥＰＧ画面５０１を作成し、表示装置３２１を介してユーザに提示する。
【００６８】
続いて、このＥＰＧ画面５０１を作成しユーザに提示する際の手順を説明する。
【００６９】
図６は、図５のステップＳ１１でＥＰＧ画面作成手段２１１ｆにより実行される、ＥＰＧ画面作成および表示の際の手順を示す、サブルーチンフローチャートである。記録再生装置２０２および２０３は、記録再生装置２０１と同様の構成および作用については説明を省略する。図６において、Ｓに数字を付した符号は、フローチャートの各ステップを示す。
【００７０】
図７は、ＥＰＧデータ記憶手段２７１に格納されている記録再生装置２０１のＥＰＧデータをもとに作成されるＥＰＧ画面５０１の構成例を示す図である。
【００７１】
本実施形態において、記録再生装置２０１は、図７に示すように、ＭＨＫ、ＭＨＫ−Ｅ、ＴＳＢ、ＢＳ−１０００およびＥＥＳＰの合計５つのチャンネルに関するＥＰＧデータを所有しているものとする。
【００７２】
まず、ステップＳ１１１において、ＥＰＧ画面作成手段２１１ｆは、ＥＰＧデータ記憶手段２７１に記憶されている記録再生装置２０１のＥＰＧデータを読み込み、このＥＰＧデータにもとづきＥＰＧ画面５０１を作成し、ＲＡＭ２２１の所要のワークエリアに格納する。図７に示すＥＰＧ画面５０１は、この記録再生装置２０１のＥＰＧデータのみにもとづき作成される。
【００７３】
次に、ステップＳ１１２において、ＥＰＧ画面作成手段２１１ｆは、録画予約情報記憶手段２６１を検索し、記録再生装置２０１の録画予約情報の有無を判定する。記録再生装置２０１の録画予約情報がある場合は、ステップＳ１１３に進む。記録再生装置２０１の録画予約情報がない場合は、ステップＳ１１４に進む。
【００７４】
図８は、記録再生装置２０１、２０２および２０３の全ての録画予約情報が付加されたＥＰＧ画面５０１の構成例を示す図である。
【００７５】
次に、ステップＳ１１３において、ＥＰＧ画面作成手段２１１ｆは、記録再生装置２０１の録画予約情報にもとづき、ＲＡＭ２２１の所要のワークエリアに格納されているＥＰＧ画面５０１を修正する。このＥＰＧ画面５０１の修正は、たとえば図８に示すように、録画予約番組の欄に予約済みマーク５０１ａを付加したり、この欄を他の欄と色分けしたりなど、ＥＰＧ画面５０１に録画予約情報がわかりやすく表示されるように行う。図８に示すＥＰＧ画面５０１においては、チャンネルＭＨＫの２０時から２時間の番組が記録再生装置２０１によって録画予約済みであることがわかる。
【００７６】
次に、ステップＳ１１４において、ＥＰＧ画面作成手段２１１ｆは、録画予約情報記憶手段２６１を検索し、他機の録画予約情報の有無を判定する。他機の録画予約情報がある場合は、ステップＳ１１５に進む。他機の録画予約情報がない場合は、ステップＳ１１８に進む。
【００７７】
次に、ステップＳ１１５において、ＥＰＧ画面作成手段２１１ｆは、ＥＰＧデータ記憶手段２７１を検索し、他機の録画予約情報に関する追加ＥＰＧデータの有無を判定する。追加ＥＰＧデータがある場合は、ステップＳ１１６に進む。追加ＥＰＧデータがない場合は、ステップＳ１１７に進む。
【００７８】
次に、ステップＳ１１６において、ＥＰＧ画面作成手段２１１ｆは、ＥＰＧデータ記憶手段２７１に記憶されている追加ＥＰＧデータを読み出し、この追加ＥＰＧデータにもとづき、ＲＡＭ２２１の所要のワークエリアに格納されているＥＰＧ画面５０１を修正する。
【００７９】
たとえば、記録再生装置２０２が、チャンネルＷＯＯＰＳという、記録再生装置２０１のＥＰＧデータにないチャンネルの番組を録画予約している場合は、図８に示すように、ＥＰＧ画面５０１にこのチャンネルのための行を新たに追加し、この行に追加ＥＰＧデータにもとづく番組表５０１ｂを表示する。追加ＥＰＧデータには、録画予約情報を表示するために必要なＥＰＧデータ（録画予約番組のＥＰＧデータ）のみが含まれている。このため、他機（記録再生装置２０２）の録画予約番組５０１ｃに関する情報以外の、たとえば１８時台や２１時台の番組名などは表示されないが、他機の録画予約情報を把握するには十分である。
【００８０】
次に、ステップＳ１１７において、ＥＰＧ画面作成手段２１１ｆは、録画予約情報記憶手段２６１に記憶されている他機の録画予約情報にもとづき、ＲＡＭ２２１の所要のワークエリアに格納されているＥＰＧ画面５０１を修正する。このＥＰＧ画面５０１の修正は、ステップＳ１１３の手順と同様に、たとえば図８に示すように、録画予約番組の欄に予約済みマーク５０１ａを付加したり、この欄を他の欄と色分けしたりなど、ＥＰＧ画面５０１に他機の録画予約情報がわかりやすく表示されるように行う。
【００８１】
また、図８に示すように、他機の情報であることを示す記号５０１ｄや、他機ＩＤ５０１ｅ（図８には、記録再生装置２０２の簡易名を２０２、記録再生装置２０３の簡易名を２０３とした場合を示す）を表示するなど、他機の録画予約であることが明らかなようにＥＰＧ画面５０１を修正する。また、追加ＥＰＧデータを表示する際には、他機のＥＰＧデータにのみ存在するチャンネルであることを示すための表示を行うための欄（追加ＥＰＧ表示欄）５０１ｆを設けるなどし、この追加ＥＰＧ表示欄５０１ｆ内に、他機の情報であることを示す記号５０１ｄや、他機ＩＤ５０１ｅ（図８には、記録再生装置２０２の簡易名を２０２とした場合を示す）などを表示するように、ＥＰＧ画面５０１を修正する。
【００８２】
たとえば、図８に示すＥＰＧ画面５０１においては、チャンネルＢＳ−１０００が１８時から４時間、記録再生装置２０３で録画予約されていることがわかる。また、記録再生装置２０１のＥＰＧデータに存在しないチャンネＷＯＯＰＳが、１９時から２時間、記録再生装置２０２において録画予約されていることがわかる。
【００８３】
次に、ステップＳ１１８において、ＥＰＧ画面作成手段２１１ｆは、ＲＡＭ２２１の所要のワークエリアに格納されているＥＰＧ画面５０１を、表示装置３２１を介してユーザに提示して、記録再生システム１０によるＥＰＧ画面作成・表示の一連の手順は終了となる。
【００８４】
以上の手順により、複数の記録再生装置がネットワーク接続されている場合において、他の記録再生装置から録画予約情報およびこの録画予約情報を表示するために必要なＥＰＧデータを取得することにより、複数の記録再生装置の録画予約情報を１台の記録再生装置の出力するＥＰＧ画面に集約することができる。
【００８５】
図１に示した記録再生システム１０を構成する記録再生装置２０１、２０２、・・・、２０ｎは、他の記録再生装置から録画予約情報およびこの録画予約情報を表示するために必要なＥＰＧデータを取得することができる。このため、記録再生システム１０によれば、他の記録再生装置のＥＰＧデータを全て取得する場合にくらべ、作成されるＥＰＧ画面に表示される情報は、他機の録画予約情報を表示するために必要なものに限ることができる。
【００８６】
したがって、ユーザは、冗長な表示に悩まされることなく、容易に全ての記録再生装置の録画予約情報を１台の記録再生装置のＥＰＧ画面を見るだけで把握することができるため、ユーザの利便性を向上させることができる。
【００８７】
また、記録再生システム１０によれば、たとえば自機では受信手段を備えておらず、他機でしか視聴できないチャンネル（たとえばＣＳ放送など）が他機で録画予約されている場合などでも、他機のＥＰＧ画面を表示させることなく、自機のＥＰＧ画面を見ることにより、他機の録画予約状況が把握できる。
【００８８】
近年、ＥＰＧデータに含まれるチャンネル数および番組名などの情報は膨張の一途をたどっており、全てのＥＰＧデータを取得することは、システムリソースの制限に直面する恐れがある。記録再生システム１０は、他機から受信するＥＰＧデータを録画予約情報に関するものに限定している。このため、記録再生システム１０により録画予約情報を集約すれば、従来の集約方法に比べ、各記録再生装置のシステムリソースの効率的な利用を図ることができる。
【００８９】
図９は、本発明に係る記録再生装置の第２実施形態を示す概略的な全体構成図である。
【００９０】
記録再生システム１０Ａは、ネットワーク接続された記録再生装置２０Ａ１、２０Ａ２、・・・、２０Ａｎにより構成される。
【００９１】
図１０は、記録再生装置２０Ａ１、２０Ａ２、・・・、２０Ａｎのうちの１台の記録再生装置２０Ａｉ（ｉはｎ以下の任意の自然数を表す）の構成例を示す概略的なブロック図である。
【００９２】
図１０に示された記録再生装置２０Ａｉは、広告サーバデータベース４１からデータを受信する点およびＣＰＵ２１ｉの機能が図２に示す記録再生装置２０ｉと異なる。他の構成および作用については、図２に示す記録再生装置２０ｉと実質的に異ならないため、同一の構成については同一符号を付し、重複する説明を省略する。
【００９３】
記録再生装置２０Ａｉは、ＣＰＵ２１ｉ、ＲＡＭ２２ｉ、ＲＯＭ２３ｉ、ネットワーク接続手段２４ｉ、他機識別情報記憶手段２５ｉ、録画予約情報記憶手段２６ｉ、ＥＰＧデータ記憶手段２７ｉ、録画ファイル記憶手段２８ｉ、広告情報記憶手段２９ｉおよびインターフェイス手段３０ｉを有する。記録再生装置２０Ａｉは、たとえばＨＤＤ／ＤＶＤレコーダや、テレビチューナを備えたパソコンなどの、映像や音声からなるデータを記録、再生する記録再生装置により構成することができる。
【００９４】
ＣＰＵ２１ｉは、ＲＯＭ２３ｉ内に記憶されたプログラムに従って、記録再生装置２０Ａｉの処理動作を制御する。ＣＰＵ２１ｉは、ＲＯＭ２３ｉ内に記憶された広告情報プログラム、録画予約情報共有プログラムおよびプログラムの実行のために必要なデータをＲＡＭ２２ｉへロードし、広告情報プログラムに従って、広告サーバデータベース４１から広告情報を取得し、ＥＰＧ画面上に表示する処理を実行する。
【００９５】
広告情報記憶手段２９ｉは、ネットワーク接続手段２４ｉを介して広告サーバデータベース４１から受ける広告情報（少なくとも広告内容、広告発信者の指定するサイト（以下、広告サイトという）のｕｒｌ、広告に関連する番組の放送開始日時、放送時間（または放送終了日時）および放送チャンネル名を含むほか、番組名、画質などの情報を含む）を格納する。
【００９６】
広告サーバデータベース４１は、広告サーバがインターネット配信する広告情報（少なくとも広告内容、広告サイトのｕｒｌ、広告に関連する番組の放送開始日時、放送時間（または放送終了日時）および放送チャンネル名を含むほか、番組名、画質などの情報を含む）を保存している。
【００９７】
図１１は、ＣＰＵ２１ｉの構成例を示す概略的なブロック図である。
【００９８】
ＣＰＵ２１ｉは、ＲＯＭ２３ｉに記憶された広告情報プログラムによって、少なくともＥＰＧ画面作成手段２１ｉｆ、広告情報受信手段２１ｉｓ、広告アクセス判定手段２１ｉｔおよび広告アクセス手段２１ｉｕとして機能する。また、ＣＰＵ２１ｉは、第１実施形態で示したとおり、録画予約情報共有プログラムによって、少なくとも他機接続判定手段２１ｉａ、予約情報送信手段２１ｉｂ、ＥＰＧデータ送信手段２１ｉｃ、予約情報受信手段２１ｉｄ、ＥＰＧデータ受信手段２１ｉｅおよびＥＰＧ画面作成手段２１ｉｆとして機能する。ここで、ＥＰＧ画面作成手段２１ｉｆは、両プログラムにより与えられる機能を併せ持つものとする。この各手段は、ＲＡＭ１２の所要のワークエリアを、データの一時的な格納場所として利用する。
【００９９】
ＥＰＧ画面作成手段２１ｉｆは、ＥＰＧデータ記憶手段２７ｉに格納されている記録再生装置２０ｉのＥＰＧデータにもとづいて、図３に示すようなＥＰＧ画面５０ｉを作成し、表示装置３２ｉを介してユーザに提示する機能を有する。
【０１００】
また、ＥＰＧ画面作成手段２１ｉｆは、広告情報記憶手段２９ｉに格納されている広告情報にもとづき、この広告をＥＰＧ画面５０ｉ上の所定の場所に付加する機能を有する。
【０１０１】
広告情報受信手段２１ｉｓは、ネットワーク接続手段２４ｉを介して広告サーバに接続し、受信する広告情報があるかどうか判定する機能を有する。また、広告情報記憶手段２９ｉは、受信する広告情報がある場合は、広告サーバデータベース４１からこの広告情報を受信し、広告情報記憶手段２９ｉに格納する機能を有する。
【０１０２】
広告アクセス判定手段２１ｉｔは、ＥＰＧ画面５０ｉ上に表示された広告に対し、ユーザが入力装置３３ｉを介してアクセスする（広告のより詳しい情報を欲し、広告サイトへ接続を要求する）意思を示したかどうか判定する機能を有する。この意思表示は、たとえばＥＰＧ画面５０ｉ上の広告をクリックすることにより行われる。
【０１０３】
広告アクセス手段２１ｉｕは、ＥＰＧ画面５０ｉ上に表示された広告に対しユーザが入力装置３３ｉを介してアクセスする意思を示した場合には、この広告の広告情報に含まれる広告サイトのｕｒｌにもとづいてネットワーク接続手段２４ｉを介して広告サイトにアクセスし、広告サイトの画面を表示手段３２ｉを介してユーザに提示する機能を有する。
【０１０４】
次に、本発明に係る記録再生装置２０Ａｉの作用について説明する。
【０１０５】
図１２は、３台の記録再生装置２０Ａ１、２０Ａ２および２０Ａ３がネットワーク接続されている場合において、ネットワーク接続されている他機から録画予約情報およびこの録画予約情報を表示するために必要なＥＰＧデータを取得し、全ての記録再生装置（記録再生装置２０Ａ１、２０Ａ２および２０Ａ３）の録画予約情報を１台の記録再生装置の出力するＥＰＧ画面に集約し、さらに、記録再生装置２０Ａ１により、広告サーバデータベース４１から広告情報を取得し、ＥＰＧ画面上に表示して、ユーザによる広告サイトへの接続要求を受理する際の手順を示すフローチャートであり、図中Ｓに数字を付した符号は、フローチャートの各ステップを示す。また、図５と同等のステップについては同一符号を付し、重複する説明を省略する。
【０１０６】
ステップＳ６において、予約情報受信手段２１１ｄは、記録再生装置２０Ａ２の予約情報送信手段２１２ｂまたは記録再生装置２０Ａ３の予約情報送信手段２１３ｂから録画予約情報が送信されているかどうか判定する。録画予約情報が送信されている場合はステップＳ７に進む。送信されていない場合はステップＳ２１に進む。
【０１０７】
ステップＳ８において、ＥＰＧデータ受信手段２１１ｅは、録画予約情報記憶手段２６１に格納されている録画予約情報の録画チャンネル名を検索し、この録画チャンネル名とＥＰＧデータ記憶手段２７１に格納されている記録再生装置２０Ａ１のＥＰＧデータのチャンネル名とを比較して、記録再生装置２０Ａ１のＥＰＧデータに存在しないチャンネル名が予約情報受信手段２１１ｄの受信した録画予約情報に含まれているかどうかを判定する。記録再生装置２０Ａ１のＥＰＧデータに存在しないチャンネル名が予約情報受信手段２１１ｄの受信した他機の録画予約情報に含まれている場合はステップＳ９へ進む。含まれていない場合はステップＳ２１に進む。
【０１０８】
ステップＳ２１において、広告情報受信手段２１１ｓは、ネットワーク接続手段２４１を介して広告サーバに接続し、受信する広告情報があるかどうか判定する。受信する広告情報がある場合は、ステップＳ２２に進む。広告情報がない場合は、ステップＳ１１に進む。
【０１０９】
次に、ステップＳ２２において、広告情報受信手段２１１ｓは、広告サーバデータベース４１から広告情報を受信し、広告情報記憶手段２９１に格納する。
【０１１０】
続いて、この広告情報を付加したＥＰＧ画面５０１を作成してユーザに提示し効率よくユーザに広告を行う際の手順を説明する。
【０１１１】
図１３は、図１２のステップＳ１１でＥＰＧ画面作成手段２１１ｆにより実行される、ＥＰＧ画面作成および表示の際の手順を示す、サブルーチンフローチャートである。図１３において、Ｓに数字を付した符号は、フローチャートの各ステップを示す。また、図６と同等のステップについては同一符号を付し、重複する説明を省略する。
【０１１２】
図１４は、記録再生装置２０Ａ１、２０Ａ２および２０Ａ３の全ての録画予約情報に加え、さらに広告情報が付加されたＥＰＧ画面５０１の構成例を示す図である。
【０１１３】
ステップＳ２３において、ＥＰＧ画面作成手段２１１ｆは、広告情報記憶手段２９１に格納されている広告情報にもとづき、ＲＡＭ２２１の所要のワークエリアに格納されているＥＰＧ画面５０１を修正する。この修正は、広告に関連する番組の近くに、広告内容が表示されるように行う。たとえば、図１４に示すように、広告に関連する番組がチャンネルＥＥＳＰの３月２４日１８時からの番組である場合、この番組の近く（すぐ下など）に広告内容を表示するための行を新たに追加し、この行に広告情報に含まれる広告内容を表示する。また、広告内容５０１ｔを表示する際には、広告であることを示すための表示をする欄５０１ｓをチャンネル欄に新たに設けるなどし、この行に表示されている情報５０１ｔが広告であることを明示する。
【０１１４】
図１３に示す手順により、複数の記録再生装置がネットワーク接続されている場合において、他の記録再生装置から録画予約情報およびこの録画予約情報を表示するために必要なＥＰＧデータを取得することにより、複数の記録再生装置の録画予約情報を１台の記録再生装置の出力するＥＰＧ画面に集約し、さらに、記録再生装置２０Ａ１により、広告サーバデータベース４１から広告情報を取得し、ＥＰＧ画面上に表示することができる。
【０１１５】
図１２に示すステップＳ２４において、広告アクセス判定手段２１１ｔは、ＥＰＧ画面５０ｉ上に表示された広告に対し、ユーザが入力装置３３１を介してアクセスする（広告のより詳しい情報を欲し、広告サイトへ接続を要求する）意思を示したかどうか判定する。この意思表示は、ＥＰＧ画面５０１上の広告欄を、入力装置３３１を介してユーザがクリックして選択することなどにより行われる。ユーザが広告サイトへの接続を要求した場合は、ステップＳ２５に進む。一方、接続要求がない場合は、引き続きユーザによる選択の有無を判定する。
【０１１６】
ステップＳ２５において、広告アクセス手段２１１ｕは、ユーザが入力装置３３１を介して接続要求した広告の広告情報に含まれる広告サイトのｕｒｌにもとづいてネットワーク接続手段２４ｉを介して広告サイトへ接続し、広告サイトの画面を表示手段３２ｉを介してユーザに提示する。
【０１１７】
以上の手順により、広告情報を付加したＥＰＧ画面５０１を作成しユーザに提示でき、ユーザによる広告サイトへの接続要求を受理することができ、したがって効率よくユーザに広告を行うことができる。
【０１１８】
図９に示した記録再生システム１０Ａを構成する記録再生装置２０Ａ１、２０Ａ２、・・・、２０Ａｎは、ＥＰＧ画面の任意の位置に広告を表示することができる。このため、広告配信者は、広告サーバデータベース上に表示位置情報を含む広告情報をアップロードしておくだけで、容易に視聴者の多い時間帯や放送局、特定の番組のそばに適切な広告を表示することができ、たとえば特定の番組を視聴するユーザ層を狙った広告活動を行うことも容易である。したがって、記録再生システム１０Ａによれば、広告配信者の広告宣伝活動効率が著しく改善されると期待され、その産業的価値は大きい。
【０１１９】
また、記録再生システム１０Ａを構成する記録再生装置２０Ａ１、２０Ａ２、・・・、２０Ａｎは、広告をＥＰＧ画面上に表示させるにあたり、この広告を関連する番組に近い場所に位置させることができる。このため、ユーザは自らの好む分野に関する広告を目にする機会が増えることになる。さらに、ユーザは、この広告に対して接続要求を行うことにより、広告サイトと通信を行い、たとえば商品の購入等を実行することが容易にできるようになる。したがって、記録再生システム１０Ａによれば、ユーザは効率よく、自らの好む分野に関する広告を利用することができる。
【０１２０】
なお、記録再生装置２０Ａｉは、図９に示した記録再生システム１０Ａのようなネットワーク接続をとらなくても、インターネット接続可能であれば、１台だけでも第２実施形態に示した広告情報の利用を行うことができる。この場合、他の記録再生装置との録画予約情報およびＥＰＧデータの共有は行わない。
【０１２１】
記録再生装置１台だけで広告情報を利用する場合、記録再生装置２０Ａｉは、ＣＰＵ２１ｉ、ＲＡＭ２２ｉ、ＲＯＭ２３ｉ、ネットワーク接続手段２４ｉ、ＥＰＧデータ記憶手段２７ｉ、広告情報記憶手段２９ｉおよびインターフェイス手段３０ｉを少なくとも有する。この記録再生装置２０Ａｉは、たとえばＨＤＤ／ＤＶＤレコーダや、テレビチューナを備えたパソコンなどの、映像や音声からなるデータを記録、再生する記録再生装置により構成することができる。
【０１２２】
この場合において、ＣＰＵ２１ｉは、ＲＯＭ２３ｉに記憶された広告情報プログラムによって、少なくともＥＰＧ画面作成手段２１ｉｆ、広告情報受信手段２１ｉｓ、広告アクセス判定手段２１ｉｔおよび広告アクセス手段２１ｉｕとして機能する。この各手段は、ＲＡＭ１２の所要のワークエリアを、データの一時的な格納場所として利用する。
【０１２３】
記録再生装置１台だけで広告情報を利用する手順では、図１２に示すフローチャートにおいてＳ１〜Ｓ１０は省略され、図１３に示すフローチャートにおいてＳ１１４〜Ｓ１１７は省略される。
【０１２４】
以上の構成を有する記録再生装置２０Ａｉによっても、広告情報の利用に関して、上述の記録再生システム１０Ａと同様の効果を得ることができる。
【図面の簡単な説明】
【０１２５】
【図１】本発明に係る記録再生装置および記録再生方法の第１実施形態を示す概略的な全体構成図。
【図２】図１に示す記録再生装置の構成例を示す概略的なブロック図。
【図３】図１に示す記録再生装置の表示するＥＰＧ画面の構成例を示す図。
【図４】図２に示すＣＰＵの構成例を示す概略的なブロック図。
【図５】本発明に係る記録再生装置により、ネットワーク接続されている複数の記録再生装置の録画予約情報を１台の記録再生装置の出力するＥＰＧ画面に集約する際の手順を示すフローチャート。
【図６】図５のステップＳ１１でＥＰＧ画面作成手段により実行される、ＥＰＧ画面作成および表示の際の手順を示すサブルーチンフローチャート。
【図７】ＥＰＧ画面の構成例を示す図。
【図８】本発明に係る記録再生装置により出力される、ネットワーク接続されている複数の記録再生装置の録画予約情報を集約したＥＰＧ画面の構成例を示す図。
【図９】本発明に係る記録再生装置および記録再生方法の第２実施形態を示す概略的な全体構成図。
【図１０】図９に示す記録再生装置の構成例を示す概略的なブロック図。
【図１１】図１０に示すＣＰＵの構成例を示す概略的なブロック図。
【図１２】本発明に係る記録再生装置により、ネットワーク接続されている複数の記録再生装置の録画予約情報を１台の記録再生装置の出力するＥＰＧ画面に集約し、さらに、広告サーバデータベースから広告情報を取得し、ＥＰＧ画面上に表示して、ユーザによる広告サイトへの接続要求を受理する際の手順を示すフローチャート。
【図１３】図１２のステップＳ１１でＥＰＧ画面作成手段により実行される、ＥＰＧ画面作成および表示の際の手順を示す、サブルーチンフローチャート。
【図１４】本発明に係る記録再生装置により出力される、ネットワーク接続されている複数の記録再生装置の録画予約情報に加えさらに広告情報が付加されたＥＰＧ画面の構成例を示す図。
【符号の説明】
【０１２６】
１０、１０Ａ  記録再生システム
１１  集線装置
２０１、２０２、・・・、２０ｎ、２０ｉ、２０ｊ、２０Ａ１、２０Ａ２、・・・、２０Ａｎ、２０Ａｉ  記録再生装置
２１１、２１ｉ  ＣＰＵ
２１１ａ、２１ｉａ  他機接続判定手段
２１１ｂ、２１２ｂ、２１３ｂ、２１ｉｂ、２１ｊｂ  予約情報送信手段
２１１ｃ、２１２ｃ、２１３ｃ、２１ｉｃ、２１ｊｃ  ＥＰＧデータ送信手段
２１１ｄ、２１２ｄ、２１３ｄ、２１ｉｄ  予約情報受信手段
２１１ｅ、２１２ｅ、２１３ｅ、２１ｉｅ  ＥＰＧデータ受信手段
２１１ｆ、２１ｉｆ  ＥＰＧ画面作成手段
２１１ｓ、２１ｉｓ  広告情報受信手段
２１１ｔ、２１ｉｔ  広告アクセス判定手段
２１１ｕ、２１ｉｕ  広告アクセス手段
２２１、２２ｉ  ＲＡＭ
２３ｉ  ＲＯＭ
２４１、２４ｉ  ネットワーク接続手段
２５１、２５ｉ  他機識別情報記憶手段
２６１、２６ｉ  録画予約情報記憶手段
２７１、２７ｉ  ＥＰＧデータ記憶手段
２８ｉ  録画ファイル記憶手段
２９１、２９ｉ  広告情報記憶手段
３０ｉ  インターフェイス手段
３１ｉ  チューナ
３２１、３２ｉ  表示装置
３３１、３３ｉ  入力装置
４０  ＥＰＧサーバデータベース
４１  広告サーバデータベース
５０１、５０ｉ  ＥＰＧ画面
５０１ａ  録画予約済みマーク
５０１ｂ  追加ＥＰＧデータにもとづく番組表
５０１ｃ  他機の録画予約番組
５０１ｄ  他機の情報であることを示す記号
５０１ｅ  他機ＩＤ
５０１ｆ  追加ＥＰＧ表示欄
５０１ｓ  広告であることを表示する欄
５０１ｔ  広告内容
【図１】
2007208927.tif 000003
【図２】
2007208927.tif 000004
【図３】
2007208927.tif 000005
【図４】
2007208927.tif 000006
【図５】
2007208927.tif 000007
【図６】
2007208927.tif 000008
【図７】
2007208927.tif 000009
【図８】
2007208927.tif 000010
【図９】
2007208927.tif 000011
【図１０】
2007208927.tif 000012
【図１１】
2007208927.tif 000013
【図１２】
2007208927.tif 000014
【図１３】
2007208927.tif 000015
【図１４】
2007208927.tif 000016